(57)【要約】      （修正有）【課題】脚立を利用して三脚を安定して支持することができる三脚支持構造を提供する。【解決手段】脚立４の片側梯子枠体８に支持される第１支持部材５２と、脚立４の片側梯子枠体８及びその他側梯子枠体１０にわたって支持される第２支持部材５４とを備え、第１支持部材５２の両端部に第１及び第２支持部５８，６０が設けられ、第２支持部材５４に第３支持部１００が設けられている。三脚６の第１及び第２脚部材３２，３４は、第１支持部材５２の第１及び第２支持部５８，６０に支持され、脚立６の第３脚部材３６は、第２支持部材５４の第３支持部１００に支持され、このようにして三脚６の三つの第１〜第３脚部材５８，６０，１００を第１及び第２支持部材５２，５４を介して脚立６に安定して支持することができる。【選択図】図１
2020012304.tif 000002
【特許請求の範囲】
【請求項１】
脚立の片側梯子枠体に支持される第１支持部材と、前記脚立の前記片側梯子枠体及びその他側梯子枠体にわたって支持される第２支持部材とを備え、前記第１支持部材の両端部に三脚の第１及び第２脚部材の下端部を支持するための第１及び第２支持部が設けられ、前記第２支持部材に前記三脚の第３脚部材の下端部を支持するための第３支持部が設けられていることを特徴とする三脚支持構造。
【請求項２】
前記第１支持部材は、前記第１及び第２支持部が設けられた第１支持本体を備え、前記第１支持本体に前記片側梯子枠体の第１踏桟に載置支持される載置部が設けられており、また前記第２支持部材は、前記第３支持部が設けられた第２支持本体を備え、前記第２支持本体は、前記第１支持部材の前記載置部及び前記他側梯子枠体の第２踏桟の上側に配設され、前記片側梯子枠体の前記第１踏桟及び前記他側梯子枠体の前記第２踏桟に載置支持されることを特徴とする請求項１に記載の三脚支持構造。
【請求項３】
前記第２支持部材の前記第２支持本体の基部にはＬ字状の取付部が設けられ、前記取付部に後側固定部材が装着され、前記第２支持本体と前記後側固定部材との間に、前記第１支持部材の前記載置部及び前記片側梯子枠体の前記第１踏桟が挟持固定され、また前記第２支持部材の前記第２支持本体の軸方向中間部に前側固定部材が位置調整自在に装着され、前記第２支持本体と前記前側固定部材との間に前記他側梯子枠体の前記第２踏桟が挟持固定されることを特徴とする請求項２に記載の三脚支持構造。
【請求項４】
前記第１支持部材の前記載置部に後側固定部材が装着されているとともに、前記第２支持部材が挿入される挿入取付部が設けられており、前記第１支持部材の前記載置部と前記後側固定部材との間に、前記片側梯子枠体の第１踏桟が挟持固定され、また前記第２支持部材の前記第２支持本体の軸方向中間部に前側固定部材が位置調整自在に装着され、前記第２支持本体の基部が前記第１支持部材の前記挿入取付部に挿入保持されるとともに、前記第２支持本体と前記前側固定部材との間に前記他側梯子枠体の前記第２踏桟が挟持固定されることを特徴とする請求項２に記載の三脚支持構造。
【請求項５】
前記第１支持部材は、前記第１及び第２支持部が設けられた第１支持本体を備え、前記第１支持本体が前記片側梯子枠体の第１踏桟に載置支持され、また前記第２支持部材は、前記第３支持部が設けられた第２支持本体を備え、更に前記片側梯子枠体の前記第１踏桟には後側受け部が設けられているとともに、前記他側梯子枠体の第２踏桟には前側受け部が設けられ、前記第２支持本体の基部が前記片側梯子枠体の前記第１踏桟の前記後側受け部に受け入れられて支持され、前記第２支持本体の軸方向中間部が前記他側梯子枠体の前記第２踏桟の前記前側受け部に受け入れられて支持されることを特徴とする請求項１に記載の三脚支持構造。
【請求項６】
前記第１支持部材は、前記第１及び第２支持部が設けられた第１支持本体を備え、前記第１支持本体に前記片側梯子枠体の一対の第１支柱に取り付けられた一対の取付支持部材に対応して一対の取付係合部が設けられており、また前記第２支持部材は、前記第３支持部が設けられた第２支持本体を備え、更に、前記片側梯子枠体の第１踏桟に関連して後側受け部が設けられるとともに、前記他側梯子枠体の第２踏桟に関して前側受け部が設けられ、前記第２支持本体の基部が前記片側梯子枠体の前記第１踏桟の前記後側受け部に受け入れられ、前記第２支持本体の軸方向中間部が前記他側梯子枠体の前記第２踏桟の前記前側受け部に受け入れられることを特徴とする請求項１に記載の三脚支持構造。
【請求項７】
脚立の片側梯子枠体に取り付けられた第１及び第２支持部材と、前記脚立の他側梯子枠体に取り付けられた第３支持部材とを備え、前記第１支持部材は、前記片側梯子枠体の一対の第１支柱の一方に第１支持位置と第１収納位置との間を旋回自在に装着され、前記第２支持部材は、前記片側梯子枠体の前記一対の第１支柱の他方に第２支持位置と第２収納位置との間を旋回自在に装着され、前記第３支持部材は、前記他側梯子枠体の一対の第２支柱間に第３支持位置と第３収納位置との間を旋回自在に装着されていることを特徴とする三脚支持構造。
【請求項８】
前記片側梯子枠体の前記一対の第１支柱の一方には、前記第１支持部材に対応して第１開口が設けられており、前記第１支持部材が前記第１支持位置まで旋回すると、前記第１支持部材の一部が前記第１開口を通して前記片側梯子枠体の前記一方の第１支柱に当接して前記第１支持位置に保持され、また前記片側梯子枠体の前記一対の第１支柱の他方には、前記第２支持部材に対応して第２開口が設けられており、前記第２支持部材が前記第２支持位置まで旋回すると、前記第２支持部材の一部が前記第２開口を通して前記片側梯子枠体の前記他方の第１支柱に当接して前記第２支持位置に保持され、更に、前記第３支持部材には当接部が設けられており、前記第３支持部材が前記第３支持位置まで旋回すると、前記第３支持部材の前記当接部が前記他側梯子枠体の一対の第２支柱に当接することを特徴とする請求項７に記載の三脚支持構造。
【発明の詳細な説明】
【技術分野】
【０００１】
本発明は、カメラなどを取り付ける三脚などを支持するための三脚支持構造に関する。
【背景技術】
【０００２】
カメラを取り付けた支持体を支持するための支持構造として、脚立を利用したものが知られている（例えば、特許文献１参照）。この支持構造においては、脚立の一対の梯子枠体の一方の上端部（例えば、最上位の踏桟）に上部取付枠が着脱自在に取り付けられ、この上部取付枠に支持軸を介して上支持筒体が回動自在に取り付けられ、この上支持筒体の外側に固定ねじが螺合されている。また、この梯子枠体の中間部（例えば、上から２段目の踏桟）に下取付枠が着脱自在に取り付けられ、この下部取付枠に支持軸を介して下支持筒体が回転自在に取り付けられている。
【０００３】
この支持構造では、カメラを取り付ける支持体として棒状のものが用いられ、棒状支持体が上支持筒体及び下支持筒体を通して着脱自在に挿通され、かく挿通した状態で固定ねじにより上支持筒体に固定される。この取付状態においては、上支持筒体が梯子枠体の外側に配置され、下支持筒体がこの梯子枠体の内側に配置され、このような位置関係に配置することにより、棒状支持体が略垂直上方に延びるようになり、この棒状支持体に取り付けられたカメラは、所望の撮影状態に保持することができる。また、下支持筒体を外側に回動させて上支持筒体及び下支持筒体を梯子枠体の外側に配置された状態では、棒状支持体がこの梯子枠体の支柱の外側に沿って延びるようになり、この棒状支持体を梯子枠体の外側に収納することができる。
【先行技術文献】
【特許文献】
【０００４】
【特許文献１】実開昭５８−１２７２９２号の全文明細書
【発明の概要】
【発明が解決しようとする課題】
【０００５】
しかしながら、この支持構造では、脚立を利用するものであるが、カメラを取り付ける支持体が棒状のものであるために、カメラを安定して支持することが難しいという問題がある。カメラを安定して支持する支持体として三脚が広く実用に供されているが、このような三脚については、この支持構造を利用することができないという問題がある。
【０００６】
本発明の目的は、脚立を利用して三脚を安定して支持することができる三脚支持構造を提供することである。
【課題を解決するための手段】
【０００７】
本発明の三脚支持構造では、脚立の片側梯子枠体に支持される第１支持部材と、前記脚立の前記片側梯子枠体及びその他側梯子枠体にわたって支持される第２支持部材とを備え、前記第１支持部材の両端部に三脚の第１及び第２脚部材の下端部を支持するための第１及び第２支持部が設けられ、前記第２支持部材に前記三脚の第３脚部材の下端部を支持するための第３支持部が設けられていることを特徴とする。
【０００８】
また、本発明の他の三脚支持構造では、脚立の片側梯子枠体に取り付けられた第１及び第２支持部材と、前記脚立の他側梯子枠体に取り付けられた第３支持部材とを備え、前記第１支持部材は、前記片側梯子枠体の一対の第１支柱の一方に第１支持位置と第１収納位置との間を旋回自在に装着され、前記第２支持部材は、前記片側梯子枠体の前記一対の第１支柱の他方に第２支持位置と第２収納位置との間を旋回自在に装着され、前記第３支持部材は、前記他側梯子枠体の一対の第２支柱間に第３支持位置と第３収納位置との間を旋回自在に装着されていることを特徴とする。
【発明の効果】
【０００９】
本発明の三脚支持構造によれば、第１支持部材と第２支持部材とから構成され、第１支持部材が脚立の片側梯子枠体に支持され、第２支持部材が脚立の片側梯子枠体及他側梯子枠体にわたって支持されるので、第１及び第２支持部材を脚立に安定的に取り付けることができる。また、第１支持部材の両端部に三脚の第１及び第２脚部材の下端部を支持するための第１及び第２支持部が設けられ、第２支持部材に三脚の第３脚部材の下端部を支持するための第３支持部が設けられているので、第１及び第２支持部材に三脚を安定して支持することができる。
【００１０】
また、本発明の他の三脚支持構造によれば、脚立の片側梯子枠体に第１及び第２支持部材が取り付けられ、脚立の他側梯子枠体に第３支持部材が取り付けられ、第１〜第３支持部材が第１〜第３支持位置と第１〜第３収納位置との間を旋回自在であるので、第１〜第３支持部材を第１〜第３支持位置に位置付けることによって、三脚を安定して支持することができる。また、第１〜第３支持部材を第１〜第３収納位置に位置付けることによって、第１〜第３支持部材を取り外すことなくコンパクトに収納することができる。
【図面の簡単な説明】
【００１１】
【図１】本発明に従う三脚支持構造の第１実施形態を示す斜視図。
【図２】図１の三脚支持構造の取付状態を部分的に拡大して示す部分拡大斜視図。
【図３】図２の三脚支持構造の取付状態を脚立の一部を切り欠いて示す斜視図。
【図４】図１の三脚支持構造の第１及び第２支持部材を示す斜視図。
【図５】図４の第１及び第２支持部材を示す正面図。
【図６】三脚の脚部を保持するための脚保持部材を拡大して示す拡大斜視図。
【図７】第２の実施形態の三脚支持構造における第１及び第２支持部材を示す斜視図。
【図８】図７の第１及び第２支持部材を示す正面図。
【図９】図７の三脚支持構造の取付状態を脚立の一部を切り欠いて示す斜視図。
【図１０】第３の実施形態の三脚支持構造における第１及び第２支持部材を示す斜視図。
【図１１】図１０の第１及び第２支持部材を一部断面で示す断面図。
【図１２】図１０の三脚支持構造の取付状態を脚立の一部を切り欠いて示す斜視図。
【図１３】第４の実施形態の三脚支持構造における第１及び第２支持部材を示す斜視図。
【図１４】図１３の三脚支持構造の取付状態の一部を示す斜視図。
【図１５】図１３の三脚支持構造の取付状態の一部を断面で示す断面図。
【図１６】図１３の三脚支持構造の取付状態の一部を示す背面図。
【図１７】第５の実施形態の三脚支持構造における第１及び第２支持部材を示す斜視図。
【図１８】図１７の第１及び第２支持部材を示す側面図。
【図１９】図１７の第１及び第２支持部材を示す平面図。
【図２０】図１７の三脚支持構造の取付状態の一部を示す斜視図。
【図２１】第６の実施形態の三脚支持構造における第１及び第２支持部材を示す斜視図。
【図２２】図２１の三脚支持構造の取付状態の一部を断面で示す断面図。
【図２３】図２１の三脚支持構造の取付状態を示す斜視図。
【図２４】第７の実施形態の三脚支持構造の要部を示す斜視図。
【図２５】図２４の三脚支持構造における片側梯子枠体と他側梯子枠体との連結部を上側から見た図。
【図２６】図２４の三脚支持構造の第１〜第３支持部材を第１〜第３支持位置に位置付けた状態で示す斜視図。
【図２７】第８の実施形態の三脚支持構造の要部を示す斜視図。
【図２８】図２７の三脚支持構造の第１〜第３支持部材を第１〜第３支持位置に位置付けた状態で示す斜視図。
【図２９】三脚の固定方法の一例を示す斜視図。
【発明を実施するための形態】
【００１２】
以下、添付図面を参照して、本発明に従う三脚支持構造の各種実施形態について説明する。
【００１３】
〔第１の実施形態〕
まず、図１〜図６を参照して、本発明に従う三脚支持構造の第１の実施形態について説明する。図１〜図５において、図示の三脚支持構造２は、脚立４を利用して三脚６を支持するものであり、この脚立４としては市販されているそれ自体周知のものを用いることができる。
【００１４】
図示の脚立４は、相互に旋回自在に連結された片側梯子枠体８及び他側梯子枠体１０を備えている。片側梯子枠体８は、幅方向（図１において左下から右上方向）に間隔をおいて配設された一対の第１支柱１２，１４を備え、これら第１支柱１２，１４間に複数（この形態では、６つ）の第１踏桟１６、即ち第１〜第６段目踏桟１６ａ〜１６ｆが上下方向に間隔をおいて取り付けられている。一対の第１支柱１２，１４の間隔は、上端から下端に向けて漸増しており、第１〜第６踏桟１６ａ〜１６ｆは、下方に配置されたものほどその長さが長くなっている。
【００１５】
また、他側梯子枠体１０は、片側梯子枠体８と同様の構成であり、この幅方向に間隔をおいて配設された一対の第２支柱１８，２０を備え、これら第２支柱１８，２０間に間隔をおいて複数（この形態では、片側梯子枠体８と同じ６つ）の第２踏桟２２、即ち第１〜第６段目踏桟２２ａ〜２２ｆが上下方向に間隔をおいて取り付けられている。一対の第２支柱１８，２０の間隔は、上端から下端に向けて漸増しており、第１〜第６段目踏桟２２ａ〜２２ｆは、下方に配置されたものほどその長さが長くなっている。
【００１６】
この脚立４では、片側梯子枠体８の第１〜第５踏桟１６ａ〜１６ｅの内側部は、他側梯子枠体１０の第１〜第５踏桟２２ａ〜２２ｅに向けて内側に延び、一対の第１支柱１２，１４間から内側に突出しており、このように構成することにより、片側梯子枠体８の第１〜第５踏桟１６ａ，１６ｅの前後方向の幅（図１〜図３において左右方向の幅）が大きくなっている。他側梯子枠体１０においても、片側梯子枠体８と同様に、その第１〜第５踏桟２２ａ〜２２ｅの内側部は、片側梯子枠体８の第１〜第５踏桟１６ａ〜１６ｅに向けて内側に延び、一対の第２支柱１８，２０間から内側に突出しており、このように構成することにより、他側梯子枠体１０の第１〜第５踏桟２２ａ，２２ｅの前後方向の幅（図１〜図３において左右方向の幅）が大きくなっている。
【００１７】
片側梯子枠体８（具体的には、一対の第１支柱１２，１４）の上端部には第１連結部材２４が固定され、また他側梯子枠体１０（具体的には、一対の第２支柱１８，２０）の上端部には第２連結部材２６が固定され、第１及び第２連結部材２４，２６が連結ピン２８を介して回動自在に連結されている（図１においては、これらの手前側のもののみを示す）。このように構成されているので、片側梯子枠体８及び他側梯子枠体１０は、連結ピン２８を中心としてそれらの下端側を外側に開いた開脚状態（図１に示す状態）と、それらの下端側を内側に閉じた収納状態（図示せず）との間を回動自在である。
【００１８】
また、三脚６は、市販されているそれ自体周知の三脚から構成され、カメラ取付部３０と、このカメラ取付部３０に回動自在に取り付けられた３つの脚部材、即ち第１〜第３脚部材３２、３４，３６とを備え、第１〜第３脚部材３２，３４，３６の下端側が径方向外方に開閉自在に装着されている。このように構成されているので、第１〜第３脚部材３２〜３６の下端側を外側に開くことにより、図１に示すように、三脚６を開脚状態にすることができ、また第１〜第３脚部材３２〜３６の下端側を内側に閉じることにより、三脚６を収納状態（図示せず）に収納することができる。
【００１９】
この三脚６では、第１〜第３脚部材３２〜３６は、カメラ取付部３０に取り付けられた上脚部３８と、この上脚部３８に収納可能に装着された中間脚部４０と、この中間脚部４０に収納可能に取り付けられた下脚部４２とから構成されている。カメラ４４は、このカメラ取付部３０に着脱自在に取り付けられ、中間脚部４０及び下脚部４２を延ばすことにより、図１に示す伸張状態にしてカメラ取付部３０（換言すると、これに取り付けられたカメラ４４）の位置を高くすることができる。
【００２０】
尚、第１〜第３脚部材３２〜３６として、上脚部３０、中間脚部４０及び下脚部４２からなる３段のものから構成しているが、上脚部及び下脚部からなる２段のもの、或いは中間脚部として２つ以上備えた４段以上のものから構成するようにしてもよい。
【００２１】
この三脚支持構造６は、脚立４の片側梯子枠体８の第１踏桟１６（例えば、下から５段目の第５段目踏桟１６ｅ）に支持される第１支持部材５２と、片側梯子枠体８の第１踏桟１６（例えば、第５段目踏桟１６ｅ）及び他側梯子枠体１０の第２踏桟２２（例えば、下から５段目の第５踏桟２２ｅ）にわたって支持される第２支持部材５４とを備えている。
【００２２】
主として図２〜図５を参照して、第１支持部材５２は、細長いプレート状の第１支持本体５６を有し、この第１支持本体５６の両端部には第１及び第２支持部５８，６０が設けられている。この形態では、第１支持本体５６の一端部には前方（図１及び２において左方）に突出する第１支持突部６２が設けられ、この第１支持突部６２の上面に第１凹部６４が設けられ、この第１凹部６４に三脚６の第１脚部材３２の下端部が位置付けられる。また、第１支持本体５６の他端部には、前方に突出する第２支持突部６６が設けられ、この第２支持突部６６の上面に第２凹部６８が設けられ、この第２凹部６８に三脚６の第２脚部材３４の下端部が位置付けられる。このように構成されるので、第１凹部６６を有する第１支持突部６２が第１支持部５８として機能し、第２凹部６８を有する第２支持突部６６が第２支持部６０として機能する。
【００２３】
この第１支持本体５６の背面側上端部には、後方（図１〜図３において右方）に突出する載置支持部７０が設けられている。この載置支持部７０は、片側梯子枠体８の第１踏桟１６（図示の例では、第５段目踏桟１６ｅ）に載置支持され、この載置支持された状態では、図１〜図５に示すように、第１支持本体５６は脚立４の幅方向に延び、第２支持部材５４を用いてこの踏桟１６に固定される。この実施形態では、図３から理解される如く、第１支持本体５６の背面が第１踏桟１６（第５段目踏桟１５ｅ）の内側端に当接するように取り付けられ、この取付状態では、第１支持部材５２の載置支持部７０は、第１踏桟１６（第５段目踏桟１５ｅ）の上面を後方に延びる。
【００２４】
また、第２支持部材５４は、棒状の第２支持本体７２を有し、その基部（図１〜図５において右側端部）にＬ字状の取付部７４が設けられ、この取付部７４に後側固定部材７６が設けられている。後側固定部材７６は、この取付部７４に螺着された固定用ねじ７８から構成され、そのねじ部８０の先端部に挟持部８２が設けられ、挟持部８２にＶ字状の切欠き８４が設けられている。
【００２５】
第２支持本体７２の軸方向中間部には、この軸方向に延びる挿通スリット８６が設けられ、この挿通スリット８６に位置調整自在に前側固定部材８８が取り付けられている。この前側固定部材８８は、Ｌ字状の固定用部材９０から構成され、その一端部にねじ部９２が設けられ、このねじ部９２に回動操作部材９４が螺合されている。また、固定用部材９０の他端部には挟持部９６が設けられ、この挟持部９６にＶ字状の切欠き９８が設けられている。
【００２６】
この第２支持本体７２の先端部に第３支持部１００が設けられている。第２支持本体７２の先端部には上方に突出する第３支持突部１０２が設けられ、この第３支持突部１０２の上面に第３凹部１０４（例えば、図２及び図４参照）が設けられ、この第３凹部１０４に三脚６の第３脚部材３６の下端部が位置付けられる。このように構成されるので、第３凹部１０４を有する第３支持突部１０２が第３支持部１００として機能する。
【００２７】
この実施形態では、第１〜第３支持部５８，６０，１００に関連して脚保持手段１０６が設けられている。脚保持手段１０６は、図６に示すように、取付ブラケット１０８と、この取付ブラケット１０８に旋回自在に装着された一対の支持アーム１１０と、一対の支持アーム１１０間に旋回自在に装着された保持リング１１２とを備えている。保持リング１１２に固定用ねじ１１４が螺着され、この固定用ねじ１１４のねじ部の先端部に円弧状の保持片１１６が固定されている。
【００２８】
第１支持部５８（第２支持部６０、第３支持部１００）に関連する脚保持手段１０６では、取付ブラケット１０８が第１支持突部６２（第２支持突部６６、第２支持本体７２）に固定され、この脚保持手段１０６の保持リング１１２内に三脚６の第１脚部材３２（第２脚部材３４，第３脚部材３６）の下端部が挿入され、この挿入状態において固定用ねじ１１４を締付け方向に回動することにより、保持片１１６が第１脚部材３２（第２脚部材３４、第３脚部材３６）の下端部に作用し、この第１脚部材３２（第２脚部材３４、第３脚部材３６）が脚保持手段１０６の保持リング１１２及び保持片１１６間に挟持保持される。尚、第１〜第３脚部材３２，３４，３６が第１〜第３支持部５８，６０，１００から外れる心配がないときには、かかる脚保持手段１０６を省略することができる。
【００２９】
第１及び第２支持部材５２，５４は、例えば、次のようにして脚立４に着脱自在に取り付けられる。主として図１〜図３を参照して、第１支持部材５２については、その載置支持部７０を片側梯子枠体８の第１踏桟１６（例えば、第５段目踏桟１６ｅ）に載置し、第１支持本体５６の後面が載置した第１踏桟１６（第５段目踏桟１６ｅ）の内側面に当接するように位置決めする。また、第２支持部材５４については、第１支持部材５２の上述した載置状態においてその上面側にて、片側梯子枠体８の第１踏桟１６（第５段目踏桟１６ｅ）及び他側梯子枠体１０の第２踏桟２２（例えば、第５段目踏桟２２ｅ）にわたって第２支持本体７２を載置する。
【００３０】
そして、片側梯子枠体８側においては、固定用ねじ７８を締付け方向に回動させて挟持部８２をこの第１踏桟１６（第５段目踏桟１６ｅ）の裏面に作用させる。かく固定用ねじ７８を締め付けると、片側梯子枠体８の第１踏桟１６（第５段目踏桟１６ｅ）及び第１支持部材５２の載置支持部７０が第２支持本体７２の基部と固定用ねじ７８の挟持部８２との間に挟持固定され、このようにして第１支持部材５２及び第２支持部材５４の基部側が片側梯子枠体８の第１踏桟１６（第５段目踏桟１６ｅ）に取り付けられる。
【００３１】
また、他側梯子枠体１０側においては、前側固定部材８８（固定用部材９０）を挿通スリット８６に沿って移動させて、その挟持部９６が他側梯子枠体１０の第２踏桟２２（例えば、第５段目踏桟２２ｅ）の下側に位置するように位置付け、この状態において回動操作部材９４を締付け方向に回動させる。このように回動させると、前側固定部材８８の挟持部９６が他側梯子枠体１０の第２踏桟２２（第５段目踏桟２２ｅ）の下面に作用し、この第２踏桟２２（第５段目踏桟２２ｅ）が第２支持本体７２と前側固定部材８８の挟持部９６との間に挟持固定され、このようにして第２支持部材５４の先端側が他側梯子枠体１０の第２踏桟２２（第５段目踏桟２２ｅ）に取り付けられる。
【００３２】
このように第１及び第２支持部材５２，５４を脚立４に取り付けた後、第１支持部材５２の第１及び第２支持部５８，６０に三脚６の第１及び第２脚部材３２，３４を取り付けるとともに、第２支持部材５４の第３支持部１００にこの三脚６の第３脚部材３６を取り付け、このようにして脚立４に第１及び第２支持部材５２，５４を介して三脚６を安定して取り付けて支持することができる。
【００３３】
この実施形態では、第１及び第２支持部材５２，５４を脚立４（片側梯子枠体８及び他側梯子枠体１０）の第５段目踏桟１６ｅ，２２ｅに取り付けているが、このような構成に代えて、その第４段目踏桟１６ｄ，２２ｄ（又は第３段目踏桟１６ｃ，２２ｃなど）に取り付けることもでき、この場合、片側梯子枠体８と他側梯子枠体１０との間の間隔に合わせて前側固定部材８８を挿通スリット８６に沿って位置調整するようになる。
【００３４】
〔第２の実施形態〕
次に、図７〜図９を参照して、本発明に従う三脚支持構造の第２の実施形態について説明する。尚、以下の実施形態において、第１の実施形態と実質上同一の部材には同一の参照番号を付し、その説明を省略する。
【００３５】
図７〜図９において、第２の実施形態の三脚支持構造２Ａでは、脚立４については、第１の実施形態とものと同様のものを用いているが、後側固定部材７６Ａについては第１支持部材５２Ａに設けられている。この形態では、第１支持部材５２Ａの載置支持部７０Ａの両端部に後側固定部材７６Ａが設けられている。各後側固定部材７６Ａは、略コ字状の取付部材１２２を備え、この取付部材１２２の先端側端部１２４に固定用ねじ７８が螺着され、この固定用ねじ７８の先端部に挟持部８２が設けられている。また、第１支持部材５２の載置支持部７０Ａの両端部の各々に、一対の取付ブラケット１２６（図７及び図９参照）が設けられ、これら取付ブラケット１２６間に支持軸１２８を介して取付部材１２２の基端部１３０が旋回自在に装着されている。
【００３６】
この第１支持部材５２Ａは、次のようにして脚立４の片側梯子枠体８（図９参照）の第１踏桟１６（例えば、第５段目踏桟１６ｅ）に着脱自在に取り付けられる。即ち、第１支持部材５２Ａの載置支持部７０Ａを内側から第１踏桟１６Ａ（第５段目踏桟１６Ａｅ）に載置し、第１支持本体５６Ａの後面（外面）が載置した第１踏桟１６（第５段目踏桟１６ｅ）の内側面に当接するように位置決めする。そして、この当接状態において、一対の固定用ねじ７８を締付け方向に回動させて固定する。固定用ねじ７８を締め付け方向に回動すると、図７及び図９から理解される如く、第１踏桟１６（第５段目踏桟１６ｅ）が第１支持部材５２Ａの載置支持部７０Ａと一対の後側固定部材７６Ａの固定用ねじ７８の挟持部８２との間に挟持固定され、このようにして第１支持部材５２Ａが片側梯子枠体８の第１踏桟１６（第５段目踏桟１６ｅ）に取り付けられる。
【００３７】
第２の実施形態では、この第１支持部材５２Ａの載置支持部７０Ａの幅方向中央部、即ち一対の後側固定部材７６Ａの間に挿入取付部１３０が設けられ、この挿入取付部１３０に、第２支持部材５４Ａの第２支持本体７２Ａの基部断面形状に対応した貫通取付孔１３２が設けられている。また、挿入取付部１３０には固定用レバー１３４が設けられ、この固定用レバー１３４の軸部先端部は、図示していないが、貫通取付孔１３２内に突出可能に構成されている。この第１支持部材５２Ａのその他の構成は、第１の実施形態のものと実質上同一であり、第１支持本体５６Ａの両端部に第１及び第２支持部５８，６０が設けられている。
【００３８】
この第２の実施形態の第２支持部材５４Ａについては、第１実施形態における取付部７４が省略され、この第２支持本体７２Ａの基部側が第１支持部材５２Ａを介して片側梯子枠体８（図９参照）の第１踏桟１６（１６ｅ）に支持され、その軸方向中間部が他側梯子枠体１０（図９参照）の第２踏桟２２（２２ｅ）に支持されるように構成されている。
【００３９】
第２の実施形態では、第２支持部材５４Ａの第２支持本体７２Ａの基部側は第１支持部材５２Ａに向けて延び、その基端部が第１支持部材５２Ａ側の取付部材１３０の貫通取付孔１３２に挿入さる。
【００４０】
また、第2支持部材５４Ａの第２支持本体７２Ａの軸方向中間部に前側固定部材８８Ａが位置調整自在に装着されている。この前側固定部材８８Ａは、第２支持本体７２Ａにスライド自在に装着されたスライド部材１３５と、このスライド部材１３５に旋回自在に装着されたＬ字状の支持部材１３７と、この支持部材１３７に螺着された固定用ねじ１３６から構成され、この固定用ねじ１３６の先端部に挟持部１３８が設けられている。尚、この第２支持部材５４Ａのその他の構成は、第１実施形態のものと実質上同一であり、第２支持本体７２Ａの先端部に第３支持部１００が設けられる。
【００４１】
主として図９を参照して、第２支持部材７２Ａは、次のようにして片側梯子枠体８の第１踏桟１６（例えば、第５段目踏桟１６ｅ）及び他側梯子枠体１０の第２踏桟２２（例えば、第５段目踏桟２２ｅ）にわたって取り付けられる。第２支持部材５４Ａの基部側においては、第２支持本体７２Ａの基端部を第１支持部材５２Ａの挿入取付部１３０の貫通取付孔１３２に挿入し、固定用レバー１３４を締付け方向に操作することにより、第２支持本体７２Ａの基端部が第１支持部材５２Ａに取り付けられる。
【００４２】
また、第２支持部材５４Ａの軸方向中間部においては、この軸方向中間部を第２踏桟２２（２２ｅ）に載置支持し、スライド部材１３５を第２支持本体７２Ａに沿って軸方向にスライド移動させて所定位置に位置付け、固定用ねじ１３６を締付方向に回動して取り付ける。固定用ねじ１３６を締め付けると、第２踏桟２２（第５段目踏桟２２ｅ）が第２支持本体７２Ａと固定用ねじ１３６の挟持部１３８（図８参照）との間に挟持固定され、このようにして第２支持部材５２Ａの軸方向中間部が他側梯子枠体１０の第２踏桟２２（第５段目踏桟２２ｅ）に取り付けられる。
【００４３】
この第２の実施形態の三脚支持構造２Ａにおいても、第１支持部材５２Ａが片側梯子枠体８の第１踏桟１６（例えば、第５段目踏桟１６ｅ）に支持され、また第２支持部材５４Ａが片側梯子枠体８の第１踏桟１６（第５段目踏桟１６ｅ）及び他側梯子枠体１０の第２踏桟２２（例えば、第５段目踏桟２２ｅ）にわたって支持されるので、上述したと同様に、第１及び第２支持部材５２Ａ，５４Ａを脚立４に安定して取り付けることができ、これによって、三脚６の第１〜第３脚部材３２，３４，３６を対応する第１支持部材５２Ａの第１及び第２支持部５８，６０並びに第２支持部材５４Ａの第３支持部１００に安定して支持することができる。
【００４４】
〔第３の実施形態〕
次に、図１０〜図１２を参照して、本発明に従う三脚支持構造の第３の実施形態について説明する。第１及第２の実施形態では脚立として市販のものをそのまま用いることができるが、この第３の実施形態では、脚立に一部修正を施して用いている。
【００４５】
図１０〜図１２を参照して、第３の実施形態の三脚支持構造２Ｂにおいては、脚立４Ｂの片側梯子枠体８Ｂは、第１及び第２実施形態のものと略同様の構成であり、その第１〜第５踏桟１６Ｂａ〜１６Ｂｅの内側部は、他側梯子枠体１０に向けて内側に延び、一対の第１支柱１４（図１２において一方のみ示す）間から内側に突出している。また、他側梯子枠体１０Ｂは、第１及び第２実施形態のものと略同様の構成であり、その第１〜第５踏桟２２Ｂａ〜２２Ｂｅの内側部は、片側梯子枠体１０に向けて内側に延び、一対の第１支柱２０（図１２において一方のみ示す）間から内側に突出している。
【００４６】
この第３の実施形態では、第１支持部材５２Ｂは、片側梯子枠体８Ｂの第１踏桟１６Ｂの特定のもの、即ち第１支持部材５２Ｂを載置支持するもの（この実施形態では、第５段目踏桟１６Ｂｅ）に載置支持される。第５段目踏桟１６Ｂｅには、一対の第１支柱１４間から内側に延びる第１内突部１４２が設けられ、第１支持本体５６Ｂは、第５段目踏桟１６Ｂｅの第１内突部１４２に載置支持される。
【００４７】
この第１支持本体５６Ｂの両側所定部位には後側固定部材７６Ｂが設けられている。後側固定部材７６Ｂはコ字状の取付部材１４４を備え、この取付部材１４４の一端部１４６が第１支持本体５６Ｂの上端部に固定され、その他端部１４８に固定用ねじ１５０が螺着されている。この第３の実施形態では、第１及び第２の実施形態における第１支持部材側の載置支持部を省略しているが、この載置支持部を設けるようにしてもよい。この第１支持部材５２Ｂのその他の構成は、第１実施形態のものと実質上同一であり、第１支持本体５６Ｂの両端部に第１及び第２支持部５８，６０が設けられる。
【００４８】
また、第２支持部材５４Ｂの第２支持本体７２Ｂは、前後方向に棒状に延びており、その断面外形は、上面が平らな三角状に形成されているが、矩形状などの適宜の形状に形成することができる。第２支持本体７２の上述した断面形状に対応して、片側梯子枠体８Ｂの特定第１踏桟１６Ｂ（例えば、第５段目踏桟１６Ｂｅ）に三角状の貫通挿入孔１４８が設けられ、この貫通挿入孔１４８は特定第１踏桟１６Ｂ（第５段目踏桟１６Ｂｅ）を前後方向に貫通して設けられ、かかる貫通挿入孔１４８が後側受け部として機能する。
【００４９】
また、他側梯子枠体１０Ｂの特定第２踏桟２２Ｂ（この実施形態では、第５段目踏桟２２Ｂｅ）に上側に開放された三角状の受け凹部１５０が設けられている。この形態では、特定第２踏桟２２Ｂに後方に延びる第２内突部１５２が設けられ、受け凹部１５０は、この特定第２内突部１５２まで延びており、この受け凹部１５０が前側受け部として機能する。この第２支持部材５４Ｂのその他の構成は、前側固定部材が省略されている点を除き、第２の実施形態のものとほぼ同様であり、この第２支持本体７２Ｂの先端部に第３支持部１００が設けられる。
【００５０】
この第３実施形態の三脚支持構造２Ｂにおいては、第１及び第２支持部材５２Ｂ，５４Ｂは、次の通りにして脚立４Ｂに取り付けられる。第１支持部材５２Ｂについては、第１支持本体５６Ｂを特定第１踏桟１６Ｂ（第５段目踏桟１６Ｂｅ）の第１内突部１４２に載置し、第１支持本体５６Ｂの一部後面（外面）がこの第１内突部１４２の内側面に当接するように位置決めする。そして、この当接状態において、一対の後側固定部材７６Ｂの固定用ねじ１５０を締付け方向に回動させて固定する。固定用ねじ７８を締め付けると、図１０及び図１１から理解される如く、特定第１踏桟１６Ｂ（第５段目踏桟１６Ｂｅ）が第１支持部材５２Ｂの第１支持本体５６Ｂと固定用ねじ１５０との間に挟持固定され、このようにして第１支持部材５２Ｂが片側梯子枠体８Ｂの特定第１踏桟１６Ｂ（第５段目踏桟１６Ｂｅ）に取り付けられる。
【００５１】
また、第２支持部材５４Ｂについては、第２支持本体７２Ｂの基部側を片側梯子枠体８Ｂの特定第１踏桟１６Ｂ（第５段目踏桟１６Ｂｅ）の貫通挿通孔１４８（後側受け部）に前側から挿入して装着するとともに、その軸方向中間部を他側梯子枠体１０Ｂの特定第２踏桟２２Ｂ（第５段目踏桟２２Ｂｅ）の受け凹部１５０（前側受け部）に上側から入れて装着する。
【００５２】
この第３の実施形態の三脚支持構造２Ｂにおいても、第１支持部材５２Ｂが片側梯子枠体８Ｂの特定第１踏桟１６Ｂ（例えば、第５段目踏桟１６Ｂｅ）に支持され、また第２支持部材５４Ｂが片側梯子枠体８Ｂの特定第１踏桟１６Ｂ（第５段目踏桟１６Ｂｅ）及び他側梯子枠体１０Ｂの特定第２踏桟２２Ｂ（例えば、第５段目踏桟２２Ｂｅ）にわたって支持されるので、上述したと同様に、第１及び第２支持部材５２Ｂ，５４Ｂを脚立４Ｂに安定して取り付けることができ、これによって、三脚６の第１〜第３脚部材３２，３４，３６を対応する第１支持部材５２Ｂの第１及び第２支持部５８，６０並びに第２支持部材５４Ｂの第３支持部１００に安定して支持することができる。
【００５３】
尚、この第３の実施形態においては特に設けていないが、例えば、第２支持部材５４Ｂ（その軸方向中間部）の特定第２踏桟２２Ｂ（２２Ｂｅ）への取付けを確実にするために前側固定部材を設けるようにしてもよく、又は第２支持部材５４Ｂ（その基部）の特定第１踏桟１６Ｂ（１６Ｂｅ）への取付けを確実にするために固定部材を設けるようにしてもよい。
【００５４】
〔第４の実施形態〕
次に、図１３〜図１６を参照して、本発明に従う三脚支持構造の第４の実施形態について説明する。この第３の実施形態においても、脚立に一部修正を施したものが用いられる。
【００５５】
図１３〜図１６において、第４の実施形態の三脚支持構造２Ｃにおいては、第１支持部材５２Ｃの第１支持本体５６ＣはＬ字状部材から構成され、この第１支持本体５６Ｃの立上り壁１６２には、長手方向に所定の間隔をおいて一対の取付係合受け部１６４，１６６が設けられ、これら取付係合受け部１６４，１６６には、下側に開口する挿入受け部（図示せず）が設けられている。
【００５６】
また、一対の取付係合受け部１６４，１２６に対応して、片側梯子枠体８Ｃの一対の第１支柱１２Ｃ，１４Ｃの外側にはＬ字状の突出支持部材１６５，１６７が設けられている。一方の突出支持部材１６５の一端部は第１支柱１２Ｃの外面に固定され、その他端部１６９は外側に延びており、この突出支持部材１６５の他端部１６９に第１支持部材５２Ｃの一方の取付係合受け部１６４が取り付けられる。また、他方の突出支持部材１６７の一端部は第１支柱１４Ｃの外面に固定され、その他端部１７１は外側に延びており、この他方の突出支持部材１６７の他端部１７１に第１支持部材５２Ｃの他方の取付係合受け部１６６が取り付けられる（図１５及び図１６参照）。
【００５７】
尚、第１支持本体５６Ｃの片側梯子枠体８Ｃ（第１支柱１２Ｃ，１４Ｃ）への取付けを確実にするために後側固定部材を設けるようにしてもよい。また、突出支持部材１６５，１６７の第１支柱２Ｃ，１４Ｃへの取付けは、例えば溶接などで固定的に取り付けるようにしてもよく、或いはボルト及びナットにより着脱可能に取り付けるようにしてもよい。この第１支持部材５２Ｃのその他の構成は、後側固定部材を省略している点を除いて、第３の実施形態のものと略同様であり、この第１支持本体５６Ｃの両端部に第１及び第２支持部５８，６０が設けられる。
【００５８】
この第４の実施形態では、第２支持部材５４Ｃに関連して、次のように構成されている。脚立４Ｃの片側梯子枠体８Ｃの第１踏桟１６Ｃの特定のもの、即ち第１支持部材５２Ｃが装着される部位のもの（この実施形態では、第５段目踏桟１６Ｃｅ）に、第１〜第３実施形態と同様に、前方に延びる第１内突部１７２が設けられ、この第１内突部１７２にコ字状の後側受け部材１７４が固定され、この後側受け部材１７４はこの第１内突部１７２と協働して貫通挿通孔１７６を規定し、この貫通挿通孔１７６が後側受け部として機能する（図１４及び図１６参照）。
【００５９】
また、片側梯子枠体８Ｃの第１踏桟１６Ｃの特定のもの（第５段目踏桟１６Ｃｅ）に対応する他側梯子枠体１０Ｃの第２踏桟２２Ｃの特定のもの（第５段目踏桟２２Ｃｅ）に、第１〜第３実施形態と同様に、後方に延びる第２内突部１７８が設けられ、この第２内突部１７８に前側受け部材１８０が設けられている。この形態では、前側受け部材１８０は一対のＬ字状部材１８２（図１３〜図１５において一方のみ示す）から構成され、上方に開放された受け部を規定し、この受け部が前側受け部として機能する。尚、前側受け部材１８０としてコ字状部材から構成するようにしてもよい。
【００６０】
この第４実施形態の三脚支持構造２Ｃにおいては、第１及び第２支持部材５２Ｃ，５４Ｃは、次の通りにして脚立４Ｃに取り付けられる。第１支持部材５２Ｃについては、第１支持本体５６Ｃを上から下に移動させ、一対の取付係合受け部１６４，１６６の係合受け部に片側梯子枠体８Ｃ側の一対の突出支持部材１６５，１６７の他端部１６９，１７１を挿入するようにしてこの第１支持部材５２Ｃを一対の第１支柱１２Ｃ，１４Ｃに着脱自在に装着する。
【００６１】
また、第２支持部材５４Ｃについては、第２支持本体７２Ｃの基部側を片側梯子枠体８Ｃの特定第１踏桟１６Ｃ（第５段目踏桟１６Ｃｅ）の貫通挿通孔１７６（後側受け部）に前側から挿入して装着するとともに、その軸方向中間部を他側梯子枠体１０Ｃの特定第２踏桟２２Ｃ（第５段目踏桟２２Ｃｅ）の前側受け部材１８０（前側受け部）に上側から入れる。
【００６２】
この第４の実施形態の三脚支持構造２Ｃにおいても、第１支持部材５２Ｃが片側梯子枠体８Ｃの一対の第１支柱１２Ｃ，１４Ｃ間に支持され、また第２支持部材５４Ｃが片側梯子枠体８Ｃの特定第１踏桟１６Ｃ（第５段目踏桟１６Ｃｅ）及び他側梯子枠体１０Ｃの特定第２踏桟２２Ｃ（例えば、第５段目踏桟２２Ｃｅ）にわたって支持されるので、上述したと同様に、第１及び第２支持部材５２Ｃ，５４Ｃを脚立４Ｃに安定して取り付けることができ、これによって、三脚６の第１〜第３脚部材３２，３４，３６（図１参照）を対応する第１支持部材５２Ｃの第１及び第２支持部５８，６０並びに第２支持部材５４Ｃの第３支持部１００に安定して支持することができる。
【００６３】
尚、この第３の実施形態においても特に設けていないが、第２支持部材５４Ｃ（その軸方向中間部）の特定第２踏桟２２Ｃ（２２Ｃｅ）への取付けを確実にするために前側固定部材を設けるようにしてもよい。
【００６４】
〔第５の実施形態〕
次に、図１７〜図２０を参照して、本発明に従う三脚支持構造の第５の実施形態について説明する。第５の実施形態においても、脚立に一部修正を施したものが用いられる。
【００６５】
図１７〜図２０において、この第５の実施形態の三脚支持構造２Ｄにおいては、第１支持部材５２Ｄは、第４の実施形態のものと実質上同一の構成であり、第１支持本体５６Ｄには、その長手方向に所定の間隔をおいて一対の取付係合受け部１６４，１６６が設けられ、また片側梯子枠体８Ｄの一対の第１支柱１２Ｄ，１４Ｄの外面には一対の突出支持部材１６５，１６７が設けられ、かかる一対の突出支持部材１６５，１６７の他端部１６９，１７１に第１支持部材５２Ｄの一対の取付係合受け部１６４，１６６が上述したようにして着脱自在に取り付けられる（図１８〜図２０参照）。この第１支持本体５６Ｄの両端部には第１及び第２支持部５８，６０が設けられる。
【００６６】
この第５の実施形態では、第２支持部材５４Ｄに関連して、次のように構成されている。脚立４Ｄの片側梯子枠体８Ｄの第１踏桟１６Ｄの特定のもの、即ち第１支持部材５２Ｄが装着される部位のもの（この実施形態では、第５段目踏桟１６Ｄｅ）に、第１〜第３実施形態と同様に、前方に延びる第１内突部１７２が設けられ、この第１内突部１７２の下面に後支持部材１９２が取り付けられる。この後支持部材１９２の下端部には後貫通挿通孔１９４が設けられ、この後貫通挿通孔１９４が後側受け部として機能する（図１７、図１８及び図２０参照）。
【００６７】
また、片側梯子枠体８Ｄの第１踏桟１６Ｄの特定のもの（第５段目踏桟１６Ｄｅ）に対応する他側梯子枠体１０Ｄの第２踏桟２２Ｄの特定のもの（第５段目踏桟２２Ｄｅ）に、第１〜第３実施形態と同様に、後方に延びる第２内突部１７８が設けられ、第２内突部１７８の下面に前支持部材１９６が取り付けられる。この前支持部材１９６の下端部には前貫通挿通孔１９８が設けられ、この前貫通挿通孔１９８が前側受け部として機能する。
【００６８】
この第５実施形態の三脚支持構造２Ｄにおいては、第１及び第２支持部材５２Ｄ，５４Ｄは、次の通りにして脚立４Ｄに取り付けられる。第１支持部材５２Ｄについては、第４の実施形態と同様にして、片側梯子枠体８Ｄの一対の第１支柱１２Ｄ，１４Ｄ間に取り付けられる。また、第２支持部材５４Ｄについては、第２支持本体７２Ｄの基部側を前支持部材１９６の前貫通挿通孔１９８（前側受け部）を通して後支持部材１９２の後貫通挿通孔１９４（後側受け部）に挿入して装着し、このように装着することにより、第２支持本体７２Ｄの基端部が片側梯子枠体８Ｄの特定第１踏桟１６Ｄ（第５段目踏桟１６Ｄｅ）に取り付けられた後支持部材１９２に装着され、その軸方向中間部が他側梯子枠体１０Ｄの特定第２踏桟２２Ｄ（第５段目踏桟２２Ｄｅ）に装着される。
【００６９】
この第５の実施形態の三脚支持構造２Ｃにおいても、第４の実施形態と同様に、第１支持部材５２Ｄが片側梯子枠体８Ｄの一対の第１支柱１２Ｄ，１４Ｄ間に支持され、また第２支持部材５４Ｄが片側梯子枠体８Ｄの特定第１踏桟１６Ｄ（第５段目踏桟１６Ｄｅ）及び他側梯子枠体１０Ｄの特定第２踏桟２２Ｄ（例えば、第５段目踏桟２２Ｄｅ）にわたって支持されるので、上述したと同様に、第１及び第２支持部材５２Ｄ，５４Ｄを脚立４Ｄに安定して取り付けることができ、これによって、三脚６の第１〜第３脚部材３２，３４，３６（図１参照）を対応する第１支持部材５２Ｄの第１及び第２支持部５８，６０並びに第２支持部材５４Ｄの第３支持部１００に安定して支持することができる。
【００７０】
尚、この第５の実施形態においても特に設けていないが、第２支持部材５４Ｄの基部の特定第１踏桟１６Ｄ（１６Ｄｅ）への取付けを確実にするために牛と側固定部材を設けるようにしてもよく、また第２支持部材５４Ｄ（その軸方向中間部）の特定第２踏桟２２Ｄ（２２Ｄｅ）への取付けを確実にするために前側固定部材を設けるようにしてもよい。
【００７１】
また、この第５の実施形態では、後支持部材１９２及び前支持部材１９６に後貫通挿通孔１９４及び前貫通挿通孔１９８を設けて第２支持本体７２Ｄを前から後に挿通させているが、このような構成に代えて、後支持部材１９２及び前支持部材１９６に後貫通挿通孔１９４及び前貫通挿通孔１９８に横側から挿入可能な開口を設け、第２支持本体７２Ｄをこれら開口を通して横側から後貫通挿通孔（後側受け部）及び前貫通挿通孔（前側受け部）に挿入するようにしてもよい。
【００７２】
〔第６の実施形態〕
次に、図２１〜図２３を参照して、本発明に従う三脚支持構造の第６の実施形態について説明する。第６の実施形態においても、脚立に一部修正を施したものが用いられる。
【００７３】
図２１〜図２３において、この第６の実施形態の三脚支持構造２Ｅにおいては、第１支持部材５２Ｅ及びそれに関連する構成に修正が施され、この第１支持部材５２Ｅは、第１支持部５８が設けられた左支持部材２０２と、第２支持部６０が設けられた右支持部材２０４とから構成されている。
【００７４】
左支持部材２０２は、脚立４Ｅの幅方向（図２１及び図２３において左上から右下の方向、図２２において紙面に垂直な方向）に延びる左支持本体２０６を備え、この左支持本体２０６の一端部（先端部）に第１支持部５８が設けられ、その他端部に下方に突出する左挿入取付部２０７が設けられている。また、右支持部材２０４は、上述の左支持部材２０２と幅方向に対称の構造であり、脚立４Ｅの上記幅方向に延びる右支持本体２１４を備え、この左支持本体２１４の一端部（先端部）に第２支持部６０が設けられ、その他端部に下方に突出する右挿入取付部２０９が設けられている。
【００７５】
左支持部材２０２及び右支持部材２０４に対応して、片側梯子枠体８Ｅの一対の第１支柱１２Ｅ，１４Ｅには左挿入支持部材２０８及び右挿入支持部材２１０が設けられている。左挿入支持部材２０８は断面コ字状であり、その両側壁部２１２が一方の第１支柱１２Ｅの両面に固定され、この第１支柱１２Ｅと左挿入支持部材２０８との間に左挿入空間が存在し、この左挿入空間に左支持部材２０２の左挿入取付部２０７が挿入される。また、右挿入支持部材２１０も断面コ字状であり、その両側壁部２１６が他方の第１支柱１４Ｅの両面に固定され、この第１支柱１４Ｅと右挿入支持部材２１０との間に右挿入空間が存在し、この右挿入空間に右支持部材２０４の右挿入取付部２０９が挿入される。
【００７６】
尚、左挿入支持部材２０８及び右挿入支持部材２１０は、例えば溶接により一対の第１支柱１２Ｅ，１４Ｅに固定的に取り付けるようにしてもよく、又は例えばボルト及びナットなどを用いて一対の第１支柱１２Ｅ，１４Ｅに着脱自在に取り付けるようにしてもよい。また、左支持部材２０２の一方の第１支柱１２Ｅへの取付けを確実にするために左後側固定部材を設けるようにしてもよく、また右支持部材２０４の他方の第１支柱１４Ｅへの取付けを確実にするために右後側固定部材を設けるようにしてもよい。
【００７７】
この第６の実施形態の三脚支持構造２Ｅにおける第２支持部材５４Ｅに関連する構成は、上述した第５の実施形態と実質上同一であり、脚立４Ｅの片側梯子枠体８Ｅの特定第２踏桟１６Ｅ（この実施形態では、第５段目踏桟１６Ｅｅ）の第１内突部１７２の下面に後支持部材１９２が取り付けられ、この後支持部材１９２に後貫通挿通孔１９４（後側受け部）が設けられる。また、他側梯子枠体１０Ｅの特定第２踏桟２２Ｅ（この実施形態では、第５段目踏桟２２Ｅｅ）の第２内突部１７８の下面に前支持部材１９６が取り付けられ、この前支持部材１９６に前貫通挿通孔１９８（前側受け部）が設けられる。
【００７８】
この第６実施形態の三脚支持構造２Ｅにおいては、第１及び第２支持部材５２Ｅ，５４Ｅは、次の通りにして脚立４Ｅに取り付けられる。第１支持部材５２Ｅについては、左支持部材２０２の左挿入取付部２０７を左挿入支持部材２０８により規定される左挿入空間に挿入することにより、この左支持部材２０２が一方の第１支柱１２Ｅに着脱自在に取り付けられ、また右支持部材２０４の右挿入取付部２０９を右挿入支持部材２１０により規定される右挿入空間に挿入することにより、この右支持部材２０４が他方の第１支柱１４Ｅに着脱自在に取り付けられ、このようにして第１支持部材５２Ｅ（左支持部材２０２及び右支持部材２０４）が片側梯子枠体８Ｅに着脱自在に取り付けられる。
【００７９】
また、第２支持部材５４Ｅについては、第５の実施形態と同様にして取り付けられ、第２支持本体７２Ｅの基部側を前支持部材１９６の前貫通挿通孔１９８（前側受け部）を通して後支持部材１９２の後貫通挿通孔１９４（後側受け部）に挿入して装着し、このように装着することにより、第２支持本体７２Ｅの基端部が片側梯子枠体８Ｅの特定第１踏桟１６Ｅ（第５段目踏桟１６Ｅｅ）に取り付けられた後支持部材１９２に装着され、その軸方向中間部が他側梯子枠体１０Ｅの特定第２踏桟２２Ｅ（第５段目踏桟２２Ｅｅ）に装着される。
【００８０】
この第６の実施形態の三脚支持構造２Ｅにおいても、第５の実施形態と同様に、第１支持部材５２Ｅ（左支持部材２０２及び右支持部材２０４）が片側梯子枠体８Ｅの一対の第１支柱１２Ｅ，１４Ｅに支持され、また第２支持部材５４Ｅが片側梯子枠体８Ｅの特定第１踏桟１６Ｅ（第５段目踏桟１６Ｅｅ）及び他側梯子枠体１０Ｅの特定第２踏桟２２Ｅ（例えば、第５段目踏桟２２Ｅｅ）にわたって支持されるので、上述したと同様に、第１及び第２支持部材５２Ｅ，５４Ｅを脚立４Ｅに安定して取り付けることができ、これによって、三脚６の第１〜第３脚部材３２，３４，３６（図２３参照）を対応する第１支持部材５２Ｅの第１及び第２支持部５８，６０並びに第２支持部材５４Ｅの第３支持部１００に安定して支持することができる。
【００８１】
尚、この第５の実施形態においても特に設けていないが、例えば、第２支持部材５４Ｅ（その軸方向中間部）の特定第２踏桟２２Ｅ（２２Ｅｅ）への取付けを確実にするために前側固定部材を設けるようにしてもよい。
【００８２】
〔第７の実施形態〕
次に、図２４〜図２６を参照して、本発明に従う三脚支持構造の第７の実施形態について説明する。第７の実施形態においても、脚立に一部修正を施したものが用いられる。
【００８３】
図２４〜図２６において、この第７の実施形態の三脚支持構造２Ｆにおいては、三つの支持部材を用いて三脚の第１〜第３脚部材を支持するように構成されている。
【００８４】
図２４〜図２６において、第７の実施形態の三脚支持機構２Ｆにおける脚立４Ｆの基本的構成は、第１の実施形態の脚立と略同様の構成であるが、片側梯子枠体８Ｆの一方の支柱１２Ｆに第１支持部材３０２が旋回自在に装着され、その他方の支柱１４Ｆに第２支持部材３０４が旋回自在に装着されている。
【００８５】
第１及び第２支持部材３０２，３０４は実質上同一の構成であり、以下第１支持部材３０２（第２支持部材３０４）について説明する。第１支持部材３０２（第２支持部材３０４）は、略Ｌ字状の第１支持本体３０６（第２支持本体３０８）を備え、この第１支持本体３０６（第２支持本体３０８）の一端側の支持部３１０の端部に第１支持部５８（第２支持部６０）が設けられ、その他端側に当接部３１２が設けられている。
【００８６】
この実施形態では、片側梯子枠体８Ｆの一方の第１支柱１２Ｆの所定部位には矩形状の第１開口３１４が設けられ、第１支持本体３０６における支持部３１０と当接部３１２との接続部付近がこの第１開口３１４に配置され、第１支持本体３０６の接続部付近が支持ピン３１６を介して一方の第１支柱１２Ｆに旋回自在に装着されている。
【００８７】
このように装着されているので、この第１支持部材３０２は、図２４及び図２５に示す第１収納位置と図２７に示す第１支持位置との間を旋回自在である。第１収納位置においては、第１支持部材３０２の支持部３１０は片側梯子枠体８Ｆの一方の第１支柱１２Ｆの外側にてこれに沿って上方に延び、この第１支柱１２Ｆに接触乃至近接する収納状態に保持される。また、第１支持位置においては、第１支持部材３０２が外側に略水平方向に延び、その当接部３１２が一方の第１支柱１２Ｆの内面に当接することにより、この第１支持位置に保持される。
【００８８】
また、片側梯子枠体８Ｆの他方の第１支柱１４Ｆの所定部位には矩形状の第２開口３１８が設けられ、第２支持本体３０８における支持部３１０と当接部３１２との接続部付近がこの第２開口３１８に配置され、第２支持本体３０８の接続部付近が支持ピン３２０を介して他方の第１支柱１４Ｆに旋回自在に装着されている。
【００８９】
このように装着されているので、この第２支持部材３０４は、第１支持部材３０２と同様に、図２４及び図２５に示す第２収納位置と図２７に示す第２支持位置との間を旋回自在である。第２収納位置においては、第２支持部材３０４の支持部３１０は片側梯子枠体８Ｆの他方の第１支柱１４Ｆの外側にてこれに沿って上方に延び、この第１支柱１４Ｆに接触乃至近接する収納状態に保持される。また、第２支持位置においては、第２支持部材３０４が外側に略水平方向に延び、その当接部３１２が他方の第１支柱１４Ｆの内面に当接することにより、この第２支持位置に保持される。
【００９０】
この実施形態では、図２５に示すように、第１及び第２支持部材３０２，３０４の上述した旋回動を許容するために、第１及び第２支持部材３０２，３０４の当接部３１２に対応して、片側梯子枠体８Ｆの特定第１踏桟１６Ｆ（この実施形態では、第５段目踏桟１６Ｆｅ）の両端部に矩形状の開口３２２，３２４（図２５参照）が設けられている。
【００９１】
更に、他側梯子枠体１０Ｆに第３支持部材３３２が装着されている。図示の第３支持部材３３２は、第３支持部１００が設けられた第３支持本体３３３を備えている。図示の第３支持本体３３２は、一対のアーム部３３４と、これらアーム部３３４の先端部を接続する先端接続部３３６を有し、一対のアーム部３３４の基部が支持ピン３３８を介して一対の第２支柱１８Ｆ，２０Ｆに旋回自在に装着され、この第３支持本体３３３の先端接続部３３６の長手方向（図２４及び図２５において左右方向）中間部に第３支持部１００が設けられている。
【００９２】
このように装着されているので、この第３支持部材３３２は、図２４及び図２５に示す第３収納位置と図２７に示す第３支持位置との間を旋回自在である。第３収納位置においては、第３支持部材３３２の一対のアーム部３３４は他側梯子枠体１０Ｆの一対の第２支柱１８Ｆ，２０Ｆの前側にてこれに沿って斜め上方に延び、一対の第２支柱１８Ｆ，２０Ｆに接触乃至近接する収納状態に保持される。また、第３支持位置においては、第３支持部材３３２の一対のアーム部３３４が前側に略水平方向に延び、一対のアーム部３３４の切欠き３４０が他側梯子枠体１０Ｆの対応する第２支柱１８Ｆ，２０Ｆに当接することにより、この第３支持位置に保持され、一対のアーム部３３４における切欠き３４０を規定する部位が当接部として機能する。
【００９３】
尚、この実施形態では、他側梯子枠体１０Ｆの第２踏桟２２Ｆのうち最上段踏桟２２Ｆｆに矩形状の切欠き３４２が設けられ、第３支持部材３３２を第３収納位置に位置付けたときに、第３支持部材３３２の第３支持部１００が他側梯子枠体１０Ｆ側の切欠き３４２内に収容されるように構成されている。
【００９４】
この第７の実施形態の三脚支持構造２Ｆを用いるときには、例えば、次のようにして三脚６を支持する。即ち、図２６に示すように、第１支持部材３０２については、第１支持本体３０６を第１収納位置から外側に旋回させて第１支持位置に位置付け、第２支持部材３０４については、第２支持本体３０８を第２収納位置から外側に旋回させて第２支持位置に位置付け、また第３支持部材３３２については、第３支持本体３３を第３収納位置から前側に旋回させて第３支持位置に位置付ける。
【００９５】
このように第１〜第３支持部材３０２，３０４，３３２を第１〜第３支持位置に位置付けると、第１〜第３支持部５８，６０，１００が上側を向くようになり、図２６に示すように、第１支持部材３０２の第１支持部５８に三脚６の第１脚部材３２の下端部を載置し、第２支持部材３０４の第２支持部６０に三脚６の第２脚部材３４の下端部を載置し、第３支持部材３３２の第３支持部１００に三脚６の第３脚部材３６を支持することにより、この脚立４Ｆに第１〜第３支持部材３０２，３０４，３３２を介して三脚６を安定して取り付けることができる。
【００９６】
尚、第１〜第３支持部材３０２，３０４，３３２を収納するには、第１支持部材３０２については、第１支持本体３０６を内側に旋回させて第１収納位置に位置付け、第２支持部材３０４については、第２支持本体３０８を内側に旋回させて第２収納位置に位置付け、また第３支持部材３３２については、第３支持本体３３を後側に旋回させて第３収納位置に位置付ければよく、このように収納状態にすることにより、第１〜第３支持部材３０２，３０４，３３２を片側梯子枠体８Ｆ及び他側梯子枠体１０Ｆの外側に沿った状態に収納することができる。
【００９７】
この第７の実施形態では、第１支持部材３０２に関連して、この第１支持部材３０２を第１支持位置にロック保持するための第１ロック手段を設けるようにしてもよく、また第２支持部材３０４（又は第３支持部材３３２）に関連して、この第２支持部材３０４（又は第３支持部材３３２）を第２支持位置（又は第３支持位置）にロック保持するための第２ロック手段（又は第３ロック手段）を設けるようにしてもよい。
【００９８】
〔第８の実施形態〕
次に、図２７〜図２８を参照して、本発明に従う三脚支持構造の第８の実施形態について説明する。この第８の実施形態の三脚支持構造２Ｇにおいても、第７の実施形態と同様に、三つの支持部材を用いて三脚の第１〜第３脚部材を支持するように構成されている。
【００９９】
図２７〜図２８において、この第８の実施形態の三脚支持機構２Ｇにおいては、片側梯子枠体８Ｇの一方の支柱１２Ｇに第１支持部材３０２が旋回自在に装着され、その他方の支柱１４Ｇに第２支持部材３０４が旋回自在に装着され、また他側梯子枠体１０Ｇに第３支持部材３３２Ｇが旋回自在に装着されている。第１支持部材３０２の構成及びその片側梯子枠体８Ｇ（一方の第１支柱１２Ｇ）への取付構造については、第７の実施形態と実質上同一であり、また第２支持部材３０４及びその片側梯子枠体８Ｇ（他方の第１支柱１４Ｇ）への取付構造についても、第７の実施形態と実質上同一であり、従って、これらの構成についての説明を省略する。
【０１００】
この第８の実施形態の第３支持部材３３２Ｇは、第７の実施形態と略同様の構成の第３支持本体３３Ｇを備え、この第３支持本体３３３Ｇは、一対のアーム部３３４Ｇと、これらアーム部３３４Ｇの先端部を接続する先端接続部３３６Ｇを有し、一対のアーム部３３４Ｇの基部が支持ピン３３８Ｇを介して一対の第２支柱１８Ｇ，２０Ｇに旋回自在に装着され、この第３支持本体３３３Ｇの先端接続部３３６Ｇの長手方向中間部に第３支持部１００が設けられている。
【０１０１】
この第３支持部材３３２Ｇに関連して、一対の支持アーム３４２が設けられ、一方の支持アーム３４２の一端部が一方の第２支柱１８Ｇに旋回自在に連結され、その他端部が一方のアーム部３３４Ｇに旋回自在に連結されており、また他方の支持アーム３４２の一端部が他方の第２支柱２０Ｇに旋回自在に連結され、その他端部が他方のアーム部３３４Ｇに旋回自在に連結されている。
【０１０２】
この第８の実施形態では、第３支持部材３３２Ｇは、図２７に示す第３収納位置と図２８に示す第３支持位置との間を旋回自在である。第３収納位置においては、第３支持部材３３２Ｇの一対のアーム部３３４Ｇは他側梯子枠体１０Ｇの一対の第２支柱１８Ｇ，２０Ｇの前側にてこれに沿って斜め下方に延び、一対の第２支柱１８Ｇ，２０Ｇに接触乃至近接する収納状態に保持される。このとき、一対の支持アーム３４２は、一対の第２支柱１８Ｇ，２０Ｇのスペースに収納される。また、第３支持位置においては、第３支持部材３３２Ｇの一対のアーム部３３４Ｇが前側に略水平方向に延び、一対の支持アーム３４２が第３支持部材３３２Ｇの一対のアーム部３３４を支持することにより、この第３支持部材３３２Ｇが第３支持位置に保持される。
【０１０３】
この第８の実施形態の三脚支持構造２Ｇを用いるときには、例えば、次のようにして三脚６を支持する。即ち、図２８に示すように、第１及び第２支持部材３０２，３０４については、第７の実施形態と同様に、第１及び第２支持本体３０６，３０８を外側に旋回させて第１及び第２支持位置に位置付ける。また、第３支持部材３３２Ｇについては、第３支持本体３３３Ｇを第３収納位置から前側に上方に旋回させて第３支持位置に位置付け、一対の支持アーム３４２によりこの第３収納位置に保持する。
【０１０４】
このように第１〜第３支持部材３０２Ｇ，３０４Ｇ，３３２Ｇを第１〜第３支持位置に位置付けると、第１〜第３支持部５８，６０，１００が上側を向くようになり、図２８に示すように、第１支持部材３０２Ｇの第１支持部５８に三脚６の第１脚部材３２を載置し、第２支持部材３０４Ｇの第２支持部６０に三脚６の第２脚部材３４を載置し、第３支持部材３３２Ｇの第３支持部１００に三脚６の第３脚部材３６を支持することにより、この脚立４Ｇに第１〜第３支持部材３０２Ｇ，３０４Ｇ，３３２Ｇを介して三脚６を安定して取り付けることができる。
【０１０５】
この第８の実施形態においても、第１支持部材３０２Ｇ（又は第２支持部材３０４Ｇ）に関連して、この第１支持部材３０２Ｇ（又は第２支持部材３０４Ｇ）を第１支持位置（又は第２支持位置）にロック保持するための第１ロック手段（又は第２ロック手段）を設けるようにしてもよく、また第３支持部材３０４Ｇ又は一対の支持アーム３４２に関連して、この第３支持部材３３２Ｇを第３支持位置にロック保持するための第３ロック手段を設けるようにしてもよい。
【０１０６】
この三脚支持構造２（２Ａ〜２Ｇ）においては、三脚６の取付けをより確実にするために、図２９に示すように構成することもできる。図２９において、この実施例では、三脚６を固定するために固定用ベルト３５２が用いられ、例えば、この固定用ベルト３５２をカメラ取付部３０（具体的には、例えば第３脚部材３６のカメラ取付部３０への固定部）と脚立６の例えば片側梯子枠体８の最上位（第６段目）の第１踏桟１６ｆとの間に巻き掛けるようにして取り付けられ、このように固定用ベルト３５２を取り付けることにより、三脚６を脚立４に確実に取り付けることができる。尚、固定用ベルト３５３に代えて、固定用紐、固定用ロープなどを用いるようにしてもよい。
【０１０７】
この実施例では、第１の実施形態の三脚支持構造２に適用しているが、このような実施形態に限定されず、第２〜第８の実施形態の三脚支持構造２Ａ〜２Ｇにも同様に適用することができる。
【０１０８】
以上、本発明に従う三脚支持構造の各種実施形態について説明したが、本発明はこれら実施形態に限定されず、本発明の範囲を逸脱することなく種々の変形乃至修正が可能である。
【符号の説明】
【０１０９】
２，２Ａ，２Ｂ，２Ｃ，２Ｄ，２Ｅ，２Ｆ，２Ｇ  三脚支持構造
４，４Ａ，４Ｂ，４Ｃ，４Ｄ，４Ｅ，４Ｆ，４Ｇ  脚立
６  三脚
８、８Ａ，８Ｂ，８Ｃ，８Ｄ，８Ｅ，８Ｅ．８Ｆ，８Ｇ  片側梯子枠体
１０，１０Ａ，１０Ｂ，１０Ｃ，１０Ｄ，１０Ｅ，１０Ｆ，１０Ｇ  他側梯子枠体
１２，１２Ｃ，１２Ｄ，１２Ｅ，１２Ｆ，１２Ｇ，１４，１４Ｃ，１４Ｄ，１４Ｅ，１４Ｆ，１４Ｇ  第１支柱
１６，１６Ｂ，１６Ｃ，１６Ｄ，１６Ｅ，１６Ｆ，１６Ｇ  第１踏桟
１８，１８Ｃ，１８Ｄ，１８Ｅ，１８Ｆ，１８Ｇ，２０，２０Ｃ，２０Ｄ，２０Ｅ，２０Ｆ，２０Ｇ  第２支柱
２２、２０Ｂ，２０Ｃ，２０Ｄ，２０Ｅ，２０Ｆ，２０Ｇ  第２踏桟
３２，３４，３６  脚部材
５２，５２Ａ，５２Ｂ，５２Ｃ，５２Ｄ，５２Ｅ  第１支持部材
５４、５４Ａ，５４Ｂ，５４Ｃ，５４Ｄ，５４Ｅ  第２支持部材
５８，６０，１００  支持部
３０２，３０２Ｇ，３０４，３０４Ｇ，３３２，３３２Ｇ  支持部材
【図１】
2020012304.tif 000003
【図２】
2020012304.tif 000004
【図３】
2020012304.tif 000005
【図４】
2020012304.tif 000006
【図５】
2020012304.tif 000007
【図６】
2020012304.tif 000008
【図７】
2020012304.tif 000009
【図８】
2020012304.tif 000010
【図９】
2020012304.tif 000011
【図１０】
2020012304.tif 000012
【図１１】
2020012304.tif 000013
【図１２】
2020012304.tif 000014
【図１３】
2020012304.tif 000015
【図１４】
2020012304.tif 000016
【図１５】
2020012304.tif 000017
【図１６】
2020012304.tif 000018
【図１７】
2020012304.tif 000019
【図１８】
2020012304.tif 000020
【図１９】
2020012304.tif 000021
【図２０】
2020012304.tif 000022
【図２１】
2020012304.tif 000023
【図２２】
2020012304.tif 000024
【図２３】
2020012304.tif 000025
【図２４】
2020012304.tif 000026
【図２５】
2020012304.tif 000027
【図２６】
2020012304.tif 000028
【図２７】
2020012304.tif 000029
【図２８】
2020012304.tif 000030
【図２９】
2020012304.tif 000031
【手続補正書】
【提出日】平成30年7月30日(2018.7.30)
【手続補正１】
【補正対象書類名】明細書
【補正対象項目名】００３５
【補正方法】変更
【補正の内容】
【００３５】
図７〜図９において、第２の実施形態の三脚支持構造２Ａでは、脚立４については、第１の実施形態のものと同様のものを用いているが、後側固定部材７６Ａについては第１支持部材５２Ａに設けられている。この形態では、第１支持部材５２Ａの載置支持部７０Ａの両端部に後側固定部材７６Ａが設けられている。各後側固定部材７６Ａは、略コ字状の取付部材１２２を備え、この取付部材１２２の先端側端部１２４に固定用ねじ７８が螺着され、この固定用ねじ７８の先端部に挟持部８２が設けられている。また、第１支持部材５２の載置支持部７０Ａの両端部の各々に、一対の取付ブラケット１２６（図７及び図９参照）が設けられ、これら取付ブラケット１２６間に支持軸１２８を介して取付部材１２２の基端部１３０が旋回自在に装着されている。
【手続補正２】
【補正対象書類名】明細書
【補正対象項目名】００３６
【補正方法】変更
【補正の内容】
【００３６】
この第１支持部材５２Ａは、次のようにして脚立４の片側梯子枠体８Ａ（図９参照）の第１踏桟１６（例えば、第５段目踏桟１６ｅ）に着脱自在に取り付けられる。即ち、第１支持部材５２Ａの載置支持部７０Ａを内側から第１踏桟１６Ａ（第５段目踏桟１６Ａｅ）に載置し、第１支持本体５６Ａの後面（外面）が載置した第１踏桟１６Ａ（第５段目踏桟１６Ａｅ）の内側面に当接するように位置決めする。そして、この当接状態において、一対の固定用ねじ７８を締付け方向に回動させて固定する。固定用ねじ７８を締め付け方向に回動すると、図７及び図９から理解される如く、第１踏桟１６Ａ（第５段目踏桟１６Ａｅ）が第１支持部材５２Ａの載置支持部７０Ａと一対の後側固定部材７６Ａの固定用ねじ７８の挟持部８２との間に挟持固定され、このようにして第１支持部材５２Ａが片側梯子枠体８の第１踏桟１６Ａ（第５段目踏桟１６Ａｅ）に取り付けられる。
【手続補正３】
【補正対象書類名】明細書
【補正対象項目名】００５０
【補正方法】変更
【補正の内容】
【００５０】
この第３実施形態の三脚支持構造２Ｂにおいては、第１及び第２支持部材５２Ｂ，５４Ｂは、次の通りにして脚立４Ｂに取り付けられる。第１支持部材５２Ｂについては、第１支持本体５６Ｂを特定第１踏桟１６Ｂ（第５段目踏桟１６Ｂｅ）の第１内突部１４２に載置し、第１支持本体５６Ｂの一部後面（外面）がこの第１内突部１４２の内側面に当接するように位置決めする。そして、この当接状態において、一対の後側固定部材７６Ｂの固定用ねじ１５０を締付け方向に回動させて固定する。固定用ねじ７８Ｂを締め付けると、図１０及び図１１から理解される如く、特定第１踏桟１６Ｂ（第５段目踏桟１６Ｂｅ）が第１支持部材５２Ｂの第１支持本体５６Ｂと固定用ねじ１５０との間に挟持固定され、このようにして第１支持部材５２Ｂが片側梯子枠体８Ｂの特定第１踏桟１６Ｂ（第５段目踏桟１６Ｂｅ）に取り付けられる。
【手続補正４】
【補正対象書類名】明細書
【補正対象項目名】００５６
【補正方法】変更
【補正の内容】
【００５６】
また、一対の取付係合受け部１６４，１６６に対応して、片側梯子枠体８Ｃの一対の第１支柱１２Ｃ，１４Ｃの外側にはＬ字状の突出支持部材１６５，１６７が設けられている。一方の突出支持部材１６５の一端部は第１支柱１２Ｃの外面に固定され、その他端部１６９は外側に延びており、この突出支持部材１６５の他端部１６９に第１支持部材５２Ｃの一方の取付係合受け部１６４が取り付けられる。また、他方の突出支持部材１６７の一端部は第１支柱１４Ｃの外面に固定され、その他端部１７１は外側に延びており、この他方の突出支持部材１６７の他端部１７１に第１支持部材５２Ｃの他方の取付係合受け部１６６が取り付けられる（図１５及び図１６参照）。
【手続補正５】
【補正対象書類名】明細書
【補正対象項目名】００５７
【補正方法】変更
【補正の内容】
【００５７】
尚、第１支持本体５６Ｃの片側梯子枠体８Ｃ（第１支柱１２Ｃ，１４Ｃ）への取付けを確実にするために後側固定部材を設けるようにしてもよい。また、突出支持部材１６５，１６７の第１支柱１２Ｃ，１４Ｃへの取付けは、例えば溶接などで固定的に取り付けるようにしてもよく、或いはボルト及びナットにより着脱可能に取り付けるようにしてもよい。この第１支持部材５２Ｃのその他の構成は、後側固定部材を省略している点を除いて、第３の実施形態のものと略同様であり、この第１支持本体５６Ｃの両端部に第１及び第２支持部５８，６０が設けられる。
【手続補正６】
【補正対象書類名】明細書
【補正対象項目名】００７０
【補正方法】変更
【補正の内容】
【００７０】
尚、この第５の実施形態においても特に設けていないが、第２支持部材５４Ｄの基部の特定第１踏桟１６Ｄ（１６Ｄｅ）への取付けを確実にするために後側固定部材を設けるようにしてもよく、また第２支持部材５４Ｄ（その軸方向中間部）の特定第２踏桟２２Ｄ（２２Ｄｅ）への取付けを確実にするために前側固定部材を設けるようにしてもよい。
【手続補正７】
【補正対象書類名】明細書
【補正対象項目名】００９２
【補正方法】変更
【補正の内容】
【００９２】
このように装着されているので、この第３支持部材３３２は、図２４及び図２５に示す第３収納位置と図２６に示す第３支持位置との間を旋回自在である。第３収納位置においては、第３支持部材３３２の一対のアーム部３３４は他側梯子枠体１０Ｆの一対の第２支柱１８Ｆ，２０Ｆの前側にてこれに沿って斜め上方に延び、一対の第２支柱１８Ｆ，２０Ｆに接触乃至近接する収納状態に保持される。また、第３支持位置においては、第３支持部材３３２の一対のアーム部３３４が前側に略水平方向に延び、一対のアーム部３３４の切欠き３４０が他側梯子枠体１０Ｆの対応する第２支柱１８Ｆ，２０Ｆに当接することにより、この第３支持位置に保持され、一対のアーム部３３４における切欠き３４０を規定する部位が当接部として機能する。
【手続補正８】
【補正対象書類名】明細書
【補正対象項目名】００９４
【補正方法】変更
【補正の内容】
【００９４】
この第７の実施形態の三脚支持構造２Ｆを用いるときには、例えば、次のようにして三脚６を支持する。即ち、図２６に示すように、第１支持部材３０２については、第１支持本体３０６を第１収納位置から外側に旋回させて第１支持位置に位置付け、第２支持部材３０４については、第２支持本体３０８を第２収納位置から外側に旋回させて第２支持位置に位置付け、また第３支持部材３３２については、第３支持本体３３３を第３収納位置から前側に旋回させて第３支持位置に位置付ける。
【手続補正９】
【補正対象書類名】明細書
【補正対象項目名】００９６
【補正方法】変更
【補正の内容】
【００９６】
尚、第１〜第３支持部材３０２，３０４，３３２を収納するには、第１支持部材３０２については、第１支持本体３０６を内側に旋回させて第１収納位置に位置付け、第２支持部材３０４については、第２支持本体３０８を内側に旋回させて第２収納位置に位置付け、また第３支持部材３３２については、第３支持本体３３３を後側に旋回させて第３収納位置に位置付ければよく、このように収納状態にすることにより、第１〜第３支持部材３０２，３０４，３３２を片側梯子枠体８Ｆ及び他側梯子枠体１０Ｆの外側に沿った状態に収納することができる。
【手続補正１０】
【補正対象書類名】明細書
【補正対象項目名】０１００
【補正方法】変更
【補正の内容】
【０１００】
この第８の実施形態の第３支持部材３３２Ｇは、第７の実施形態と略同様の構成の第３支持本体３３３Ｇを備え、この第３支持本体３３３Ｇは、一対のアーム部３３４Ｇと、これらアーム部３３４Ｇの先端部を接続する先端接続部３３６Ｇを有し、一対のアーム部３３４Ｇの基部が支持ピン３３８Ｇを介して一対の第２支柱１８Ｇ，２０Ｇに旋回自在に装着され、この第３支持本体３３３Ｇの先端接続部３３６Ｇの長手方向中間部に第３支持部１００が設けられている。
【手続補正１１】
【補正対象書類名】図面
【補正対象項目名】図５
【補正方法】変更
【補正の内容】
【図５】
2020012304.tif 000032
【手続補正１２】
【補正対象書類名】図面
【補正対象項目名】図１１
【補正方法】変更
【補正の内容】
【図１１】
2020012304.tif 000033
【手続補正１３】
【補正対象書類名】図面
【補正対象項目名】図２６
【補正方法】変更
【補正の内容】
【図２６】
2020012304.tif 000034